(57)【特許請求の範囲】
【請求項１】
（ａ）成分、（ｂ）成分及び（ｃ）成分を含有しており、（ａ）成分／（ｂ）成分の質量比が１／５〜１／１、（ｂ）成分／（ｃ）成分の質量比が１／２〜２／１である高嵩密度洗剤組成物。
（ａ）成分：一般式（I）で表されるグリセリルモノエーテル及び／又はポリグリセリルモノエーテル
Ｒ−Ｏ−（Ｃ3Ｈ6Ｏ2）n−Ｈ    （I）
（式中、Ｒは炭素数６〜２２のアルキル基及び／又はアルケニル基を示し、ｎはグリセリンの縮合度であり、１〜７の数を示す。）
（ｂ）成分：炭素数８〜２０の飽和又は不飽和α−スルホ脂肪酸アルキルエステル塩
（ｃ）成分：炭素数１０〜２０の飽和又は不飽和脂肪酸のアルカリ金属塩
【請求項２】
（ａ）成分中、一般式（I）のＲが炭素数１２及び又は炭素数１４のアルキル基であって、且つグリセリンの縮合度ｎが３〜５である化合物の比率が４０質量％以上である請求項１記載の高嵩密度洗剤組成物。
【請求項３】
（ａ）成分、（ｂ）成分及び（ｃ）成分の合計量が界面活性剤合計量の７０質量％以上である請求項１又は２何れか記載の高嵩密度洗剤組成物。
【請求項４】
（ａ）成分、（ｂ）成分及び（ｃ）成分の組成物中の合計量が１５〜３０質量％である請求項１〜３の何れか１項記載の高嵩密度洗剤組成物。
【請求項５】
（ａ）成分及び（ｂ）成分を予め混合し、その後に（ｃ）成分を混合する工程を有する請求項１〜４の何れか１項記載の高嵩密度洗剤組成物の製造方法。
【発明の詳細な説明】
【技術分野】
【０００１】
本発明は、高嵩密度洗剤組成物に関し、より詳しくは、洗濯時の機械力が低い条件で使用した場合や低水温であっても、優れた溶解性、洗浄力を発揮することができる高嵩密度洗剤組成物に関する。
【背景技術】
【０００２】
近年上市されている洗濯機は、『洗濯を簡単に済ませてしまいたい』という消費者ニーズに対応し、大容量化（一度に多くの衣類が洗える）傾向にあり、また洗濯時間に短時間洗濯モードの設定等がなされている。更に『衣類を大切に洗いたい』というニーズに対し、弱攪拌モードの設定が行われ、衣類いたみの軽減を訴求している。加えて、環境・エネルギーや経済性への対応から、節水、低温洗濯、運転時間の短縮への潮流がある。
【０００３】
この潮流は、いずれも洗濯機の仕事量（機械力×時間の意）を低下させる方向であり、その結果、洗剤粒子の溶解速度の低下によって洗浄力の低下が生じ、洗濯終了時に粉末洗剤の溶け残り、洗剤粒子の衣類残留が増大することがある。
【０００４】
溶解性を改善する試みとして、例えば特許文献１にはゼオライトを含有したクラッチャースラリーを調製する際に、クエン酸塩を添加して、噴霧乾燥して得られるビーズの強度を向上させ、そのビーズに界面活性剤を塗布して、高い溶解性特性を有する、平均粒径の大きい高嵩密度洗剤粒子群を含有してなる洗浄剤が開示されている。
【０００５】
また、特許文献２には、１５０μm未満の粒子１０重量％未満及び１７００μmより大きい粒子１０重量％未満を有するベース粉末に、クエン酸ナトリウム、炭酸水素ナトリウム等の充填剤粒子を有する洗剤組成物が開示されている。
【０００６】
また、特許文献３には、粒度分布により溶解性が改善された高密度粒状洗剤が開示されている。
【０００７】
また、特許文献４には、アニオン界面活性剤、ノニオン界面活性剤及びゼオライトを含有してなる高嵩密度粒状洗剤組成物であって、上記ノニオン界面活性剤の含有量が３〜９質量％であり、上記ゼオライトの含有量が２６〜３５質量％であることを特徴とする高嵩密度粒状洗剤組成物が開示されている。
【特許文献１】特開平５−２４７４９７号公報
【特許文献２】特表平７−５０９２６７号公報
【特許文献３】特開平１１−３５９９８号公報
【特許文献４】特開２００３−１０５３７９号公報
【発明の開示】
【発明が解決しようとする課題】
【０００８】
本発明の課題は、洗濯時の機械力や水温が低くても優れた溶解性、洗浄力を発揮することができる高嵩密度洗剤組成物とその製造方法を提供することにある。
【課題を解決するための手段】
【０００９】
本発明は、（ａ）成分、（ｂ）成分及び（ｃ）成分を含有しており、（ａ）成分／（ｂ）成分の質量比が１／５〜１／１、（ｂ）成分／（ｃ）成分の質量比が１／２〜２／１である高嵩密度洗剤組成物とその製造方法を提供する。
【００１０】
（ａ）成分：一般式（I）で表されるグリセリルモノエーテル及び／又はポリグリセリルモノエーテル
Ｒ−Ｏ−（Ｃ3Ｈ6Ｏ2）n−Ｈ    （I）
（式中、Ｒは炭素数６〜２２の炭化水素基を示し、ｎはグリセリンの縮合度であり、１〜７の数を示す。）
（ｂ）成分：炭素数８〜２０の飽和又は不飽和α−スルホ脂肪酸アルキルエステル塩
（ｃ）成分：炭素数１０〜２０の飽和又は不飽和脂肪酸のアルカリ金属塩
【発明の効果】
【００１１】
本発明の高嵩密度洗剤組成物によれば、洗濯時の機械力が低い条件で使用した場合や低水温であっても、優れた溶解性、洗浄力を発揮することができる。
【発明を実施するための最良の形態】
【００１２】
＜（ａ）成分＞
本発明の（ａ）成分は、一般式（I）で示されるグリセリルモノエーテル、ポリグリセリルモノエーテル又はそれらを併用したもの（以下、これらを総称して「グリセリルモノエーテル等」という）である。
【００１３】
一般式（I）中のＲは、直鎖、分岐鎖、飽和、不飽和の何れでも良く、炭素数６〜２２、更に１２〜１４、特に１２のアルキル基が好ましい。
【００１４】
（ａ）成分は、一般式（I）中のＲが炭素数１２〜１４、特に炭素数１２及び１４のアルキル基であるグリセリルモノエーテル等の比率が、合計で４０質量％以上であることが好ましく、より好ましくは７０質量％以上、更に９０質量％以上、最も好ましくは９５％以上である。
【００１５】
（ａ）成分は、一般式（I）中のｎが３〜５であるものが好ましい。なお、（ａ）成分が、一般式（I）中のｎが単一のもののみからなる場合は結晶化しやすいため、特に低温で水への溶解性が劣り、その結果、洗浄力は低下する傾向を示す。一方、（ａ）成分が、一般式（I）中のｎが異なる複数のグリセリルモノエーテル等を含む場合、結晶化が抑制されるため低温でも高い溶解性を示し、その結果良好な洗浄性能が得られる。従って、（ａ）成分は、一般式（Ｉ）中のｎが異なる複数のグリセリルモノエーテル等からなるものが好ましく、特にｎが３〜５で、且つｎ＝３及び４、ｎ＝３及び５、ｎ＝４及び５、又はｎ＝３、４及び５のグリセリルモノエーテル等を含むものがより好ましく、特にｎ＝３、４及び５のグリセリルモノエーテル等を含むものが好ましい。
【００１６】
一般式（I）中のｎは、洗浄力の観点から、ｎ＝４が最も好ましく、（ａ）成分中、ｎ＝４であるグリセリルモノエーテル等の比率が１０質量％以上、１５質量％以上、２０質量％以上、特に３０質量％以上であることが好ましい。
【００１７】
また、一般式（I）中のｎが１又は２であるグリセリルモノエーテル等の比率は合計で５０質量％未満、更に３５質量％以下であることが好ましい。更に、（ａ）成分中、ｎが１であるグリセリルモノエーテル等の含有量が３０質量％未満、更に２０質量％以下であることが好ましい。
【００１８】
（ａ）成分は、一般式（I）中のＲが炭素数１２及び／又は炭素数１４のアルキル基であって、且つｎが３〜５であるグリセリルモノエーテル等が好ましく、その比率が４０質量％以上であることが低温溶解性の観点から好ましい。前記比率は、より好ましくは５０質量％以上、更に好ましくは６０質量％以上、特に好ましくは７０質量％以上、最も好ましくは８０質量％以上である。また、低温での洗浄性能の観点から上限は、好ましくは９９質量％以下、より好ましくは９５質量％以下、更に好ましくは９０質量％以下、特に好ましくは８５質量％以下である。
【００１９】
（ａ）成分は、一般式（I）中のＲが炭素数１２及び／又は炭素数１４のアルキル基であって、且つｎが３〜５であるポリグリセリルモノエーテルの合計の比率を９９質量％以下とした場合には、低温での溶解性が著しく向上し、その結果洗浄性能が大きく向上する効果が得られる。一般にこの含有量が低いほど低温での溶解性は向上するが、同時に常温での洗浄性能が低下する傾向にあるため、上記した下限値と上限値の範囲が好ましい。
【００２０】
（ａ）成分は、一般式（I）中のＲが炭素数１２のアルキル基で、ｎが３〜５であるグリセリルモノエーテル等（ａ−１）と、一般式（I）中のＲが炭素数１４のアルキル基で、ｎが３〜５であるグリセリルモノエーテル等（ａ−２）の両方を含んでいることが好ましい。更に（ａ−１）成分及び（ａ−２）成分は、いずれもｎの異なる複数のグリセリルモノエーテル等、特にｎ＝３、４、５の３種のグリセリルモノエーテル等を含有することが好ましい。（ａ）成分中の（ａ−１）成分及び（ａ−２）成分の合計の比率は４０質量％以上であることが好ましい。
【００２１】
（ａ）成分を構成するグリセリンの縮合度ｎの質量割合〔（ａ）成分中の質量割合〕は、ガスクロマトグラフィー（ＧＣ）法のエリア％から求めることができる。
【００２２】
本発明の（ａ）成分は、例えば、炭素数６〜２２のアルコールに所定量の２，３−エポキシ−１−プロパノール（グリシドール）をアルカリ触媒の存在下で反応させることで得られる。また、特開２０００−１６０１９０号公報の段落０００７〜００１１に記載されたような方法で製造することもできる。
【００２３】
なお、一般式（Ｉ）中のｎ＝３〜５のグリセリルモノエーテル等が所定比率にあるものを用いるため、必要に応じて反応物を蒸留等により精製することで、所定範囲の縮合度の化合物を得ることができる。
【００２４】
例えば、一般式（Ｉ）中のｎ＝１、２のものは、減圧下で蒸留することにより留去することができる。ｎ＝１、２の成分を減らすことで、３〜５モル成分の割合を増やすことができる。蒸留装置に限定は無いが、薄膜蒸留を行うことにより、これら成分を効率的に分離することができる。至適蒸留温度は、真空度によって大きく変化するが、真空度が０．１３ｋＰａの場合、１５０℃以上３００℃以下、好ましくは１７０℃以上３００℃以下、さらに２００℃以上３００℃以下が好ましい。３００℃以上の温度で蒸留すると着色等品質の劣化が生じる場合がある。
【００２５】
また例えば、一般式（Ｉ）中のｎ＝６モル以上のものを取り除く場合は、カラムによる分離を行うことができる。カラムによる分離は、条件を工夫することにより、ｎ＝１、２成分の除去に利用することもできる。
【００２６】
本発明の組成物中、溶解性、洗浄性能、造粒性の観点より、（ａ）成分の含有量は１〜１２質量％が好ましく、２〜１０質量％がより好ましく、３〜８質量％が更に好ましく、４〜６質量％が特に好ましい。
【００２７】
＜（ｂ）成分＞
本発明の（ｂ）成分は、炭素数８〜２０の飽和又は不飽和α−スルホ脂肪酸アルキルエステル塩であり、下記一般式（II）で表される化合物が挙げられ、これらの１種又は２種以上を用いることができる。
【００２８】
【化１】
0005101997.tif 000002
【００２９】
〔式中、Ｒ1は炭素数８〜２０の直鎖又は分岐鎖のアルキル基又はアルケニル基、Ｒ2は炭素数１〜５の直鎖又は分岐鎖のアルキル基、Ｍはカチオンである〕。
【００３０】
一般式（II）において、Ｒ1は、溶解性、洗浄性能、造粒性の観点より、好ましくは炭素数１２〜１８、特に好ましくは１４〜１８の直鎖又は分岐鎖のアルキル基又はアルケニル基である。
【００３１】
一般式（II）において、Ｒ2は、溶解性、洗浄性能、造粒性の観点より、好ましくは１〜４の直鎖又は分岐鎖のアルキル基であり、メチル基、エチル基、プロピル基、イソプロピル基等が挙げられる。
【００３２】
Ｍは、アルカリ金属、アンモニウム等のカチオンが好ましく、アルカリ金属の具体例としては、例えば、リチウム、ナトリウム、カリウム等が挙げられる。中でもナトリウム、カリウムが好ましい。
【００３３】
（ｂ）成分は、公知の製法によって得られる。例えば、油脂に低級アルコールを反応させて得られた脂肪酸低級アルキルエステルを無水硫酸等でスルホン化し、最後に苛性アルカリ等で中和することによって製造することができる。前記原料油脂としては、ヤシ油、パーム核油、豚油、牛脂、米ヌカ油、パーム油、魚油等が挙げられる。
【００３４】
本発明の組成物中、溶解性、洗浄性能、造粒性の観点より、（ｂ）成分は５〜２０質量％が好ましく、６〜１８質量％がより好ましく、７〜１５質量％が更に好ましく、８〜１２質量％が特に好ましい。
【００３５】
本発明の組成物中、溶解性、洗浄性能、造粒性の観点より、（ａ）成分／（ｂ）成分の質量比を特定することによりさらに優れた効果が得られる。その範囲は１／５〜１／１であり、１／４〜３／４が好ましく、１／３〜２／３がより好ましい。
【００３６】
＜（ｃ）成分＞
本発明の（ｃ）成分は、炭素数１０〜２０の飽和又は不飽和脂肪酸のアルカリ金属塩であり、溶解性、洗浄性能、造粒性の観点より炭素数１２〜１８が好ましい。アルカリ金属の具体例としては、例えば、リチウム、ナトリウム、カリウム等が挙げられる。中でもナトリウム、カリウムが好ましい。
【００３７】
これらの脂肪酸塩は、単独で用いても、２種以上を併用してもよい。２種以上を併用する場合、例えば、脂肪酸塩の炭素数が１２以上であり、且つ不飽和結合を１つ有する不飽和脂肪酸又はその塩の割合が３０〜９９質量％、又は、不飽和結合を２つ以上有する不飽和脂肪酸又はその塩の割合が１０質量％未満であることが、洗浄力の点で好ましい。
【００３８】
本発明の組成物中、溶解性、洗浄性能、造粒性の観点より（ｃ）成分は３〜１６質量％が好ましく、４〜１４質量％がより好ましく、５〜１２質量％が更に好ましく、６〜１０質量％が特に好ましい。
【００３９】
本発明の組成物中、溶解性、洗浄性能、造粒性の観点より、（ｂ）成分／（ｃ）成分の質量比を特定することによりさらに優れた効果が得られる。その範囲は１／２〜２／１であり、３／５〜８／５が好ましく、４／５〜７／５がより好ましい。
【００４０】
本発明の組成物中の界面活性剤合計量中、溶解性の観点より、（ａ）成分、（ｂ）成分及び（ｃ）成分の合計量が７０質量％以上が好ましく、７５質量％以上がより好ましく、８０質量％以上が更に好ましく、８５質量％以上が特に好ましい。
【００４１】
本発明の組成物中では、溶解性、造粒性の観点より、（ａ）成分、（ｂ）成分及び（ｃ）成分の合計量は、１５〜３０質量％が好ましく、１８〜２８質量％がより好ましく、１５〜２５質量％が更に好ましい。
【００４２】
＜その他成分＞
本発明の組成物は、（ａ）成分、（ｂ）成分及び（ｃ）成分以外の界面活性剤を含有してもよい。界面活性剤としては、陰イオン界面活性剤、非イオン界面活性剤、両性界面活性剤、陽イオン界面活性剤等が挙げられる。
【００４３】
（ｂ）成分及び（ｃ）成分以外の陰イオン界面活性剤としては、高級アルコール若しくはそのエトキシル化物の硫酸エステル塩、アルキルベンゼンスルホン酸塩、パラフィンスルホン酸塩、α−オレフィンスルホン酸塩等が挙げられる。特に、アルキル鎖の炭素数が１０〜１８（好ましくは１２〜１４）の直鎖アルキルベンゼンスルホン酸塩が好ましい。塩としては、アルカリ金属塩、アルカリ土類金属塩、アンモニア塩、アルカノールアミン塩等が挙げられる。
【００４４】
（ａ）成分以外の非イオン界面活性剤としては、高級アルコールのエチレンオキシド（以下「ＥＯ」という）付加物、若しくはＥＯ／プロピレンオキシド（以下「ＰＯ」という）付加物、脂肪酸アルカノールアミド、アルキルポリグリコシド等が挙げられる。特に炭素数が１０〜１６のアルコールのＥＯ１〜１０モル付加物が皮脂汚れの除去、耐硬水性、生分解性の点で好ましい。
【００４５】
本発明の組成物は、溶解性、洗浄性能、造粒性の観点より、更に、（ｄ）結晶性アルミノ珪酸塩から選ばれる少なくとも１種、及び（ｅ）炭酸塩から選ばれる少なくとも１種を含有することが好ましく、より好ましくは組成物中の（ｄ）成分の含有量が１５〜３５質量％、（ｅ）成分の含有量が１５〜４５質量％、（ｄ）成分と（ｅ）成分の合計含有量が４０〜７５質量％であり、（ｄ）成分と（ｅ）成分の質量比［（ｄ）／（ｅ）］が１／３〜２／１である。
【００４６】
＜（ｄ）成分＞
（ｄ）成分の結晶性アルミノ珪酸塩としては、チャバザイト、モンデナイト、エリオナイト、ホージャサイト、クリノプチロライト等の天然ゼオライト、Ａ型ゼオライト、Ｘ型ゼオライト、Ｙ型ゼオライト、Ｌ型ゼオライト、オメガ型ゼオライト、Ｐ型ゼオライト、ＭＡＰ型ゼオライト等の合成ゼオライトが挙げられる。
【００４７】
＜（ｅ）成分＞
（ｅ）成分の炭酸塩としては、日本化学会編化学便覧（丸善出版）記載の炭酸塩であり、炭酸ナトリウム、炭酸カリウム、炭酸カルシウム、炭酸マグネシウム、炭酸亜鉛、炭酸バリウム、炭酸ニッケル、炭酸銅及び炭酸アンモニウム等が挙げられる。これらの炭酸塩は単独で用いても、２種以上を併用しても良い。
【００４８】
また、ここでいう炭酸塩は、水和物の形態であってもよく、水和物としては、炭酸ナトリウム１０水塩、炭酸ナトリウム７水塩、炭酸ナトリウム１水塩、炭酸カリウム２水塩等が挙げられる。
【００４９】
上記炭酸塩の中で、炭酸ナトリウム、炭酸カリウム、炭酸カルシウム、炭酸マグネシウム、炭酸ナトリウム１０水塩、炭酸ナトリウム７水塩、炭酸ナトリウム１水塩、炭酸カリウム２水塩等が好ましく、特に、炭酸ナトリウム、炭酸カリウム、炭酸ナトリウム１０水塩、炭酸ナトリウム７水塩、炭酸ナトリウム１水塩、炭酸カリウム２水塩等が好ましい。
【００５０】
＜（ｆ）成分＞
本発明の組成物は、洗浄性能の点で、（ｆ）成分として水溶性ポリマーを含有することが好ましく、組成物中の水溶性ポリマーの含有量は０．１〜２０質量％が好ましく、０．５〜１５質量％がより好ましく、１〜１０質量％が更に好ましい。
【００５１】
水溶性ポリマーとしては、カルボン酸系ポリマー、カルボキシメチルセルロース、可溶性澱粉、糖類等が挙げられる。中でも金属イオン封鎖能、固体汚れ・粒子汚れの分散能及び再汚染防止能の点で、重量平均分子量が千〜１０万のカルボン酸系ポリマーが好ましい。特に、アクリル酸−マレイン酸コポリマーの塩、ポリアクリル酸塩が好ましい。ここで、塩としてはナトリウム塩、カリウム塩、アンモニウム塩が挙げられる。
【００５２】
本発明の組成物には、洗剤の分野で公知のビルダー（硫酸ナトリウム等）、漂白剤（過炭酸塩、過ホウ酸塩、漂白活性化剤等）、再汚染防止剤（カルボキシメチルセルロース等）、柔軟化剤（ベントナイト等）、還元剤（亜硫酸塩等）、蛍光増白剤、抑泡剤（シリコーン等）、香料、酵素（セルラーゼ、プロテアーゼ、ペプチナーゼ、リパーゼ、デキストラナーゼ、アミラーゼ等）、着色剤等を含有させることができる。
【００５３】
本発明の組成物は、溶解性、生産性の観点で、組成物中の水分（ＪＩＳ Ｋ ３３６２：１９９８記載の過熱減量法による）は、１〜１０質量％が好ましく、２〜８質量％がより好ましく、３〜６質量％が更に好ましい。
【００５４】
本発明の組成物において「高嵩密度」は、ＪＩＳ Ｋ ３３６２：１９９８により規定された方法で測定する見掛け嵩密度が５００ｇ／Ｌ以上であることを意味する。
【００５５】
本発明の組成物は、溶解性の点で、見掛け嵩密度が１６００ｇ／Ｌ以下であることが好ましく、１３００ｇ／Ｌ以下であることがより好ましく、１０００ｇ／Ｌ以下であることが更に好ましい。また、利便性や廃棄物（製品の収容・包装に用いる箱等）低減の点で、見掛け嵩密度は５００ｇ／Ｌ以上であることが好ましく、６００ｇ／Ｌ以上であることがより好ましく、７００ｇ／Ｌ以上であることが更に好ましい。
【００５６】
本発明の組成物は、溶解性の点で、ＪＩＳ Ｚ ８８０１の標準篩を用いて５分間振動させた後、篩目のサイズによる質量分率から求める平均粒径が１５０〜１０００μmであることが好ましく、より好ましくは１５０〜８００μm、更に好ましくは１８０〜６００μmである。
【００５７】
本発明の組成物は、洗浄性能、損傷性の点で、ＪＩＳ Ｋ ３３６２：１９９８記載の２０℃で測定する０．１質量％水溶液のｐＨが８〜１２であることが好ましく、９〜１１．５であることがより好ましく、９．５〜１１であることが更に好ましく、１０〜１１であることが特に好ましい。
【００５８】
本発明の組成物は、流動性及び非ケーキング性の点で、表面被覆剤により表面改質を行うことが好ましい。
【００５９】
表面被覆剤としては、例えば、アルミノケイ酸塩、ケイ酸カルシウム、二酸化ケイ素、ベントナイト、タルク、クレイ、非晶質シリカ誘導体、結晶性シリケート化合物等のシリケート化合物、金属石鹸、粉末の界面活性剤等の微粉体、カルボキシメチルセルロース、ポリエチレングリコール、ポリアクリル酸ソーダ、アクリル酸とマレイン酸のコポリマー又はその塩等のポリカルボン酸塩等の水溶性ポリマー、脂肪酸が挙げられる。中でもアルミノケイ酸塩、ベントナイトが好ましい。
【００６０】
本発明の組成物は、応用技術として利便性の点で、更に圧縮して錠剤形態にしても良いし、１回の使用量を水溶性又は水不溶性の容器に収納することもできる。
【００６１】
本発明の組成物は、衣料用洗浄剤として好適に使用されるものであり、その使用方法は、特に制限されないが、低機械力の洗濯条件で洗濯する場合において、特に有用である。なお、ここでいう低機械力とは、例えばＭｅｃｈａｎｉｃａｌ Ａｃｔｉｏｎ（ＭＡ）試験布を用いて、洗濯した場合、円形の穴のほつれた糸の本数の総和で示されるＭＡ値が３０以下であることを意味する。
【００６２】
＜製造方法＞
以上のような成分を含有する本発明の組成物は、公知の方法で製造することができる。例えば、噴霧乾燥法、ドライ中和法、乾燥造粒法、ドライブレンド法、流動層乾燥法、薄膜乾燥法、押出し造粒法、転動造粒法、攪拌造粒法、圧密造粒法、界面活性剤担持法又はこれらから選択して組み合わせた方法を適用して、製造することができる。
【００６３】
本発明の組成物の製造に際しては、得られる組成物の溶解性を向上させる観点から、（ａ）成分及び（ｂ）成分を予め混合した後、（ｃ）成分を混合する工程を有することが好ましい。このような工程の順序にするのは、（ｂ）成分の結晶化が（ａ）成分により阻害され、それにより、組成物の溶解性が向上されるものと考えられるためである。
【実施例】
【００６４】
実施例及び比較例
［１］洗剤粒子の製造
表１に示す成分の内、所定量の(a)成分と(b)成分を予め80℃で混合した後、二軸押出機を用いて残りの成分を混合した。得られた粒子を粉砕し、平均粒径を400μｍに調整した。この方法により洗剤粒子１−１０を製造した。下記に示す方法で溶解率を求めた。
（ａ）成分：一般式（I）中のＲがＣ１２のアルキル基、ｎが１〜７であり、ｎが４．０モル、ｎが３〜５モルのものの割合が５２質量％であるポリグリセリルモノアルキルエーテルを用いた。
（ｂ）成分：炭素数１６の飽和α−スルホ脂肪酸アルキルエステルナトリウム塩、エステル化率９６％、スルホン化率９９％を用いた。
（ｃ）成分：パルミチン酸ナトリウム、和光純薬（株）製、試薬特級を用いた。
（ｄ）成分：平均粒径３μｍのＡ型ゼオライト、ゼオビルダー（株）製を用いた
（ｅ）成分：炭酸ナトリウム（デンス灰）、セントラル硝子（株）製を用いた。
（ｆ）成分：平均分子量10000のポリアクリル酸ナトリウム、花王（株）製、オリゴマーＤを用いた。
ＡＥノニオン：炭素数Ｃ１２，エチレンオキサイドが平均８モル付加したポリオキシエチレンアルキルエーテル、花王（株）製、エマルゲン５０８Ｋを用いた。
ＬＡＳ：アルキルベンゼンスルホン酸ナトリウムとして花王（株）製ネオペレックスＧ１５を用いた。
硫酸ナトリウム：四国化成(株)製の無水ボウ硝を用いた。
【００６５】
［２］洗剤溶解試験
５℃に温調した水道水（硬度２．６°ＤＨ）１Ｌ中に洗剤０．６６６７ｇを投入し、長さ３．５センチ、直径１センチの紡錘状撹拌子を８００回転させて１分間撹拌した後、目開き３８μmのステンレス製メッシュでろ過し、１０５℃で２時間乾燥後の重量から、溶解率を求めた。
溶解率（％）＝（最初の洗剤量０．６６６７ｇ−乾燥後の残量）／最初の洗剤量０．６６６７ｇ×１００
［３］洗浄試験の方法
松下(株)製全自動洗濯機NA-F70APに［１］で製造した洗剤粒子２６．６７ｇ、下記の通り調製した汚染布を縫いつけた台布５枚、DANISH TECHNOLOGOCAL INSTITUE社製のＭＡ（Ｍａｃｈｉｎｅ Ａｃｔｉｏｎ）試験布３枚、設定した浴比になるように木綿の肌着を投入し、水量４０Ｌ、標準コースで洗濯を行った。なお、ＭＡ試験布は、前記５枚の台布の下部、中央（２枚目と３枚目の間）、上部に位置するように置いた。洗濯に用いた水は２００７年８月２７日に和歌山市内で得られた水道水を温調して使用した（硬度は２．６°ＤＨ）。洗浄時の浴比、水温を表２に示す。洗濯された汚染布を台布からはずし、１６０℃・３０秒の条件でプレスにより乾燥後、下記に示す式から洗浄率を求めた。
洗浄率（％）＝（洗浄後の反射率−洗浄前の反射率）／（白布の反射率−洗浄前の反射率）×１００
反射率は、日本電色工業（株）製NDR-10DPで460nmフィルターを使用して測定した。
【００６６】
＜ほうれん草汚染布の調製＞
市販のほうれん草をミキサーにより粉砕した後、生成した液体部分を木綿布により濾別した。得られた液体０．５ｇを６ｃｍ×６ｃｍの木綿金布＃２０２３上に均一に塗布し、２０℃で１２時間乾燥させた。得られた汚染布１０枚を、３０センチ四方の木綿の台布５枚に２枚ずつ縫いつけたものを洗浄試験に供した。
【００６７】
＜耐機械力の測定＞
洗浄後に取り出したＭＡ試験布３枚を乾燥させ、ほつれた糸の数を数え、ＭＡ試験布１枚あたりのほつれた平均本数をＭＡ値とした。ＭＡ値が大きいほど洗浄時の機械力が高いことを示す。
【００６８】
【表１】
0005101997.tif 000003
【００６９】
【表２】
0005101997.tif 000004